(57)【要約】【課題】  キャリッジカバーの半開き状態をユーザが明確かつ容易に認識することが可能な記録装置を低コストに実現する。【解決手段】  検出部材１１は、キャリッジ６１がインク交換ポジションにある状態において、キャリッジカバー６１１が半開きのときにプリンタカバー２が半開きになるようにキャリッジカバー６１１とプリンタカバー２との間に介在する。検出部材１１は、プリンタカバー２の内側に、キャリッジ６１の往復動方向へ弾性変位可能に支持されている。キャリッジカバー６１１が完全に閉じられた状態でキャリッジ６１が往復動する際には、検出部材１１がキャリッジカバー６１１に接触することがあっても、検出部材１１が弾性変位する。また、半開きになっているプリンタカバー２を閉方向へ押動することで、半開きのキャリッジカバー６１１を閉方向へ押動して完全に閉じた状態にすることができる。【選択図】図６
2009248316.tif 000002
【特許請求の範囲】
【請求項１】
筐体内でキャリッジが往復動する記録装置において、
前記筐体に開閉可能に支持された筐体カバーと、
前記キャリッジに開閉可能に支持されたキャリッジカバーと、
前記筐体カバー又は前記キャリッジカバーのいずれか一方に配設され、前記キャリッジ
カバーが半開きのときに前記筐体カバーが半開きになるように前記キャリッジカバーと前
記筐体カバーとの間に介在する検出部材と、を備え、
前記検出部材は、前記キャリッジの往復動方向へ弾性変位可能に支持されている、こと
を特徴とした記録装置。
【請求項２】
請求項１に記載の記録装置において、前記検出部材は、前記筐体カバーを閉じる方向へ
押動することで前記キャリッジカバーを閉じる方向へ押動可能に支持されている、ことを
特徴とした記録装置。
【請求項３】
請求項２に記載の記録装置において、前記筐体カバー又は前記キャリッジカバーの前記
検出部材が当接する部分に凹部が設けられている、ことを特徴とした記録装置。
【発明の詳細な説明】
【技術分野】
【０００１】
本発明は、筐体内でキャリッジが往復動する記録装置に関する。
【背景技術】
【０００２】
インクジェットプリンタやドットインパクトプリンタ等、記録ヘッドやインクカートリ
ッジ等を搭載したキャリッジが筐体内で往復動するの記録装置が公知である。このような
記録装置のキャリッジには、インクカートリッジ等の収容部を開閉可能に支持されたキャ
リッジカバーが設けられているのが一般的である（例えば、特許文献１を参照）。このよ
うなキャリッジカバーを設けることによって、キャリッジ内部に埃や異物等が進入してし
まう虞を低減させることができる。また、閉じた状態のキャリッジカバーでインクカート
リッジ等をキャリッジ本体にホールドすることができるので、キャリッジの往復動時に生
ずる振動等に起因したインクカートリッジ等の脱落等を防止することができる。
【特許文献１】特開２００６−７７３４号公報
【発明の開示】
【発明が解決しようとする課題】
【０００３】
キャリッジカバーは、インクカートリッジ等の交換時にユーザによって開閉操作がなさ
れるものである。そのため、例えば、操作に不慣れなユーザの場合、インクカートリッジ
等の交換後にキャリッジカバーが完全に閉じていない状態、つまり半開き状態にしてしま
う可能性がある。また、例えば、インクカートリッジ等の装着状態が不完全である場合、
インクカートリッジ等の向きや色等を間違えて装着した状態である場合等に、キャリッジ
カバーが半開き状態になってしまうことがある。
【０００４】
そして、キャリッジカバーが半開きの状態で被記録材への記録を実行してしまうと、記
録実行中にインクカートリッジ等が脱落等してしまう虞が生ずる。また、インクカートリ
ッジ等の装着状態が不完全である場合、インクカートリッジ等の向きや色等を間違えて装
着した状態である場合等には、そのインクカートリッジのインクが記録ヘッドに供給され
ず、被記録材への記録が正常に実行できない虞が生ずる。さらに、キャリッジカバーの一
部が記録装置の筐体の内壁面や他の構成要素に接触等して、キャリッジの往復動作を正常
に行うことができない虞が生ずるとともに、キャリッジの損傷等の虞が生ずる。
【０００５】
ところが、一般的なインクジェットプリンタやドットインパクトプリンタ等の記録装置
は、記録装置の筐体内にキャリッジが往復動可能に配設されているため、筐体カバーを閉
じた状態ではキャリッジカバーの半開き状態を容易に視認することができない場合が多い
。したがって、ユーザは、インクカートリッジ等の交換時にキャリッジカバーが半開き状
態であることに気付かないまま筐体カバーを閉じてしまうと、あらためて筐体カバーを開
かない限り、キャリッジカバーの半開き状態に気付かない場合が多い。
【０００６】
また、例えば、キャリッジカバーの半開き状態を検出するセンサをキャリッジに設けれ
ば、エラー表示等でキャリッジカバーの半開き状態をユーザに知らせることが可能になる
し、キャリッジカバーの半開きの状態では被記録材への記録が実行されないように制御す
ることも可能になる。しかし、センサ及び制御装置の入力ポート等を追加する必要があり
、それによって、記録装置のコストが上昇してしまうことになる。
【０００７】
本発明は、このような状況に鑑み成されたものであり、その課題は、キャリッジカバー
の半開き状態をユーザが明確かつ容易に認識することが可能な記録装置を低コストに実現
することにある。
【課題を解決するための手段】
【０００８】
上記課題を達成するため、本発明の第１の態様は、筐体内でキャリッジが往復動する記
録装置において、前記筐体に開閉可能に支持された筐体カバーと、前記キャリッジに開閉
可能に支持されたキャリッジカバーと、前記筐体カバー又は前記キャリッジカバーのいず
れか一方に配設され、前記キャリッジカバーが半開きのときに前記筐体カバーが半開きに
なるように前記キャリッジカバーと前記筐体カバーとの間に介在する検出部材と、を備え
、前記検出部材は、前記キャリッジの往復動方向へ弾性変位可能に支持されている、こと
を特徴とした記録装置である。
【０００９】
キャリッジカバーが半開きのときには、キャリッジカバーと筐体カバーとの間に介在す
る検出部材によって、筐体カバーを閉じようとしても筐体カバーが必然的に半開き状態に
なる。それによって、ユーザは、キャリッジカバーの半開き状態を明確かつ容易に認識す
ることができる。また、このような検出部材を設けることによって、キャリッジカバーの
半開き状態を検出するセンサ等を設けることなく、キャリッジカバーの半開き状態を明確
かつ容易にユーザが認識することが可能になる。
【００１０】
そして、検出部材は、キャリッジの往復動方向へ弾性変位可能に支持されている。それ
によって、キャリッジカバーが完全に閉じられた状態でキャリッジが往復動する際には、
検出部材がキャリッジカバー又は筐体カバー等に僅かに接触することがあっても、キャリ
ッジの往復動方向へ検出部材が弾性変位することになる。したがって、キャリッジカバー
が完全に閉じられた状態でキャリッジが往復動する際に、キャリッジカバーと筐体カバー
との間に介在する検出部材によってキャリッジの往復動作が妨げられることはない。
【００１１】
これにより、本発明の第１の態様に記載の記録装置によれば、キャリッジカバーの半開
き状態をユーザが明確かつ容易に認識することが可能な記録装置を低コストに実現するこ
とができるという作用効果が得られる。
【００１２】
本発明の第２の態様は、前述した第１の態様に記載の記録装置において、前記検出部材
は、前記筐体カバーを閉じる方向へ押動することで前記キャリッジカバーを閉じる方向へ
押動可能に支持されている、ことを特徴とした記録装置である。
【００１３】
例えば、単にキャリッジカバーの閉じ方が不完全であるためにキャリッジカバーが半開
きになっている場合には、半開きになっている筐体カバーを閉じる方向へ押動することに
よって、キャリッジカバーを完全に閉じた状態にすることができる。すなわち、ユーザは
、筐体カバーとキャリッジカバーとの間に介在している検出部材を利用して、あらためて
筐体カバーを開いた状態にすることなく半開きのキャリッジカバーを完全に閉じた状態に
することができる。
【００１４】
他方、例えば、インクカートリッジ等の誤装着等によってキャリッジカバーが半開きに
なっている場合には、キャリッジカバーを完全に閉じた状態にすることが物理的に不可能
な状態にある。そのため、そのままでは、半開きになっている筐体カバーを閉じる方向へ
押動してもキャリッジカバーを完全に閉じた状態にすることはできない。このとき、仮に
ユーザが過大な力で筐体カバーを閉じる方向へ押動してしまったとしても、筐体カバーと
キャリッジカバーとの間に介在している検出部材は、往復動方向のいずれかの方向へ逃げ
るように弾性変位することになる。それによって、その過大な力で筐体カバー又はキャリ
ッジカバー或いは検出部材が破損等してしまうことを回避することができる。
【００１５】
本発明の第３の態様は、前述した第２の態様に記載の記録装置において、前記筐体カバ
ー又は前記キャリッジカバーの前記検出部材が当接する部分に凹部が設けられている、こ
とを特徴とした記録装置である。
【００１６】
このように、検出部材が当接する部分に凹部を設けることによって、検出部材は、先端
がその凹部に嵌り込んだ状態で筐体カバー又はキャリッジカバーに当接することになる。
それによって、例えば、検出部材が筐体カバー又はキャリッジカバーに斜めに当接した状
態においても、筐体カバーを押動する力を確実にキャリッジカバーに伝達することが可能
になる。したがって、半開きになっている筐体カバーを閉じる方向へ押動して半開きのキ
ャリッジカバーを完全に閉じた状態にする操作の確実性を向上させることができる。
【発明を実施するための最良の形態】
【００１７】
以下、本発明の実施の形態を図面に基づいて説明する。尚、本発明は以下説明する実施
例に限定されることなく、特許請求の範囲に記載した発明の範囲内で、種々の変形が可能
であり、それらも本発明の範囲内に含まれるものであることは言うまでもない。
【００１８】
＜インクジェットプリンタの概略構成＞
まず、本発明に係る「記録装置」の一例であるインクジェットプリンタ５０の概略構成
について、図１〜図３を参照しながら説明する。
【００１９】
図１及び図２は、本発明に係るインクジェットプリンタの外観斜視図である。図３は、
本発明に係るインクジェットプリンタの内部構造の要部側断面図である。  
インクジェットプリンタ５０は、「筐体」としてのプリンタ本体１で覆われている。プ
リンタ本体１の上面には、「筐体カバー」としてのプリンタカバー２が符号Ａで示した開
閉方向へ揺動可能に配設されている。ユーザは、プリンタカバー２を開くことによって、
開口部８を通じてプリンタ本体１の内部へアクセスすることが可能になるとともに、開口
部７を通じて後述するキャリッジに搭載されたインクカートリッジの交換作業を行うこと
が可能になる。
【００２０】
プリンタ本体１の前面には、電源スイッチ等のスイッチ類５が配設されている他、排紙
スタッカ３及びディスクトレイカバー４が前方へ開閉可能に配設されている。排紙スタッ
カ３は、記録実行時には前方へ開いた状態で使用され、記録実行後の「被記録材」として
の記録紙Ｐが排紙スタッカ３の上に排出されて積重される。ディスクトレイカバー４は、
前方へ開いた状態で、ディスクトレイやボード紙等を前方からユーザが手差し挿入するた
めのディスクトレイ挿入口９へのアクセスが可能になる。
【００２１】
インクジェットプリンタ５０の後部には、自動給送装置７０が配設されている。自動給
送装置７０の上部には、上方向へ開閉可能な給紙トレイカバー６が配設されている。給紙
トレイカバー６は、開いた状態で、自動給送する記録紙Ｐを載置するための載置面の一部
を構成する。自動給送装置７０は、ホッパ７１、給送用ローラ７２及び図示していない分
離手段等を備えている。ホッパ７１に載置された記録紙Ｐは、ホッパ７１が給送用ローラ
７２へ揺動することによって給送用ローラ７２の外周面に押圧され、給送用ローラ７２の
回転によって、搬送駆動ローラ５１の外周面と搬送従動ローラ５２の外周面との当接面へ
向けて１枚ずつ給送される。
【００２２】
インクジェットプリンタ５０は、記録紙Ｐを搬送方向Ｙへ搬送する手段として、搬送駆
動ローラ５１及び搬送従動ローラ５２を備えている。さらに、インクジェットプリンタ５
０は、プラテン５３に支持されている記録紙Ｐの記録面にインクを噴射する記録ヘッド６
２を備えている。さらに、インクジェットプリンタ５０は、記録実行後の記録紙Ｐを搬送
方向Ｙへ排出するための排出駆動ローラ５４及び排出従動ローラ５５を備えている。
【００２３】
搬送駆動ローラ５１は、表面に高摩擦被膜が施されており、図示していない搬送用モー
タの回転駆動力が伝達されて回転する。搬送従動ローラ５２は、従動回転可能に軸支され
、図示していないばね等の付勢手段によって搬送駆動ローラ５１の外周面に押圧付勢され
ている。自動給送装置７０により給送された記録紙Ｐは、搬送駆動ローラ５１と搬送従動
ローラ５２とで挟持され、搬送駆動ローラ５１の駆動回転により搬送方向Ｙへ所定の搬送
量でプラテン５３上を搬送される。
【００２４】
記録ヘッド６２は、キャリッジ６１の底部に配設されている。記録ヘッド６２のヘッド
面には、インクを噴射するための多数の噴射ノズル（図示せず）が配設されている。キャ
リッジ６１は、記録ヘッド６２のヘッド面とプラテン５３上の記録紙Ｐの記録面とが略平
行となる状態を維持しつつ記録紙Ｐの幅方向Ｘ（搬送方向Ｙと交差する方向）へ往復動可
能に、キャリッジガイド軸５６に支持されている。キャリッジ６１は、図示していないキ
ャリッジ駆動用モータの回転軸に配設された駆動プーリ（図示せず）と従動プーリ（図示
せず）との間に掛架された無端ベルト（図示せず）が連結されており、その無端ベルトを
介してキャリッジ駆動用モータの回転駆動力が伝達されて幅方向Ｘへ往復動する。
【００２５】
プラテン５３は、記録紙Ｐの搬送方向Ｙに沿って形成された多数のプラテンリブ（図示
せず）を有している。プラテン５３上を搬送される記録紙Ｐは、このプラテンリブの頂部
で裏面側から支持される。記録紙Ｐは、このプラテン５３に支持された領域において、記
録ヘッド６２により記録面にドットを形成されて記録が実行される。記録ヘッド６２のヘ
ッド面と記録紙Ｐの記録面との間隔は、プラテンリブの頂部によって規定される。
【００２６】
プラテン５３上を搬送される記録紙Ｐは、キャリッジ６１が幅方向Ｘへ往復動しながら
記録ヘッド６２のヘッド面から記録紙Ｐの記録面にインクを噴射してドットを形成する動
作と、搬送駆動ローラ５１の駆動回転により搬送方向Ｙへ所定の搬送量で搬送する動作と
が交互に繰り返されることによって、記録面への記録が実行される。インク噴射後の記録
紙Ｐは、排出駆動ローラ５４と排出従動ローラ５５とで挟持され、排出駆動ローラ５４の
駆動回転により搬送方向Ｙへ搬送されて排紙スタッカ３の上に排出される。これらの一連
の記録制御は、図示していない制御装置により実行される。
【００２７】
＜第１実施例＞
つづいて、本発明に係るインクジェットプリンタ５０の第１実施例について、図４〜図
１０を参照しながら説明する。
【００２８】
図４〜図７は、インクジェットプリンタ５０の要部側断面図である。図４は、プリンタ
カバー２を閉じた状態を図示したものであり、図５は、プリンタカバー２を開いた状態を
図示したものである。図６及び図７は、プリンタカバー２が半開きの状態を図示したもの
である。  
キャリッジ６１は、キャリッジカバー６１１を備えている。キャリッジカバー６１１は
、一端側に設けられた軸部６１２でキャリッジ６１に軸支されており、符号Ｂで示した開
閉方向へ揺動可能に支持されている。キャリッジカバー６１１の他端側には、係止爪６１
３が設けられている。キャリッジカバー６１１は、係止爪６１３がキャリッジ６１の内壁
面に設けられた凸部６１４に係合した状態で、完全に閉じた状態となり、その閉じた状態
が保持される。また、キャリッジカバー６１１は、キャリッジカバー６１１に設けられた
レバー（図示せず）で係止爪６１３を凸部６１４から離間する方向へ変位させて、係止状
態を解除することによって、開方向Ｂ１へ揺動させて開くことが可能な状態になる。
【００２９】
キャリッジ６１の内部のインクカートリッジＩＣを交換する際には、ユーザは、まずプ
リンタカバー２を開方向Ａ１へ揺動させて開いた状態にする。そして、インク交換ボタン
（図示せず）を押下すると、キャリッジ６１が開口部７（図２）に対応する位置（以下、
「インク交換ポジション」という。）へ移動する。その状態において、ユーザは、開口部
７を通じてキャリッジカバー６１１を開方向Ｂ１へ揺動させて開くことができ、開口部７
を通じてインクカートリッジＩＣを交換する作業を行うことができる。
【００３０】
そして、本発明に係るインクジェットプリンタ５０は、プリンタカバー２の内側に、検
出部材１１が配設されている。検出部材１１は、キャリッジ６１がインク交換ポジション
にある状態において、キャリッジカバー６１１が半開きのときにプリンタカバー２が半開
きになるようにキャリッジカバー６１１とプリンタカバー２との間に介在する部材である
（図６、図７）。ここで、キャリッジカバー６１１が半開き状態になる場合としては、単
にキャリッジカバー６１１の閉じ方が不完全な状態である場合がある（図６）。また、誤
装着等によって本来の正常な装着位置から浮き上がった状態にあるインクカートリッジＩ
Ｃによって、物理的にキャリッジカバー６１１を完全に閉じることができない状態である
場合がある（図７）。
【００３１】
いずれの場合においても、キャリッジカバー６１１が半開きのときには、キャリッジカ
バー６１１とプリンタカバー２との間に介在する検出部材１１によって、プリンタカバー
２を閉じようとしてもプリンタカバー２が必然的に半開き状態になる。それによって、ユ
ーザは、キャリッジカバー６１１の半開き状態を明確かつ容易に認識することができる。
また、このような検出部材１１を設けることによって、キャリッジカバー６１１の半開き
状態を検出するセンサ等を設けることなく、キャリッジカバー６１１の半開き状態を明確
かつ容易にユーザが認識することが可能になる。
【００３２】
つづいて、検出部材１１の支持構造について、図８〜図１０を参照しながら説明する。
【００３３】
図８は、プリンタカバー２の内側に配設された検出部材１１を拡大図示した正面図であ
る。  
検出部材１１は、矩形平板形状の部材であり、プリンタカバー２の内側に、幅方向Ｘ（
キャリッジ６１の往復動方向）へ弾性変位可能に支持されている。より具体的には、プリ
ンタカバー２の内側には、軸受部１３が固設されており、検出部材１１は、一端側に設け
られた軸部１２で軸受部１３に軸支されている。また、軸部１２には、ねじりコイルばね
１４が環装されている。ねじりコイルばね１４は、一端側の棒部１４１が検出部材１１の
側面に掛止されており、他端側の棒部１４２がプリンタカバー２の内側に掛止されている
。つまり、検出部材１１は、ねじりコイルばね１４のばね力によって、略垂直姿勢となる
揺動位置に付勢されている。このようにして、検出部材１１は、符号Ｃで示した揺動方向
へ弾性変位可能に支持された状態となる。
【００３４】
これによって、キャリッジカバー６１１が完全に閉じられた状態でキャリッジ６１が幅
方向Ｘへ往復動する際には、検出部材１１がキャリッジカバー６１１に僅かに接触するこ
とがあっても、検出部材１１が符号Ｃで示した揺動方向へ弾性変位することになる。した
がって、キャリッジカバー６１１が完全に閉じられた状態でキャリッジ６１が幅方向Ｘへ
往復動する際に、キャリッジカバー６１１とプリンタカバー２との間に介在する検出部材
１１によってキャリッジ６１の往復動作が妨げられることはない。
【００３５】
図９は、検出部材１１とキャリッジカバー６１１との係合状態を拡大図示した正面図で
あり、キャリッジカバー６１１及びプリンタカバー２を完全に閉じた状態を図示したもの
である。  
キャリッジカバー６１１及びプリンタカバー２を完全に閉じた状態では、図示の如く、
検出部材１１の先端とキャリッジカバー６１１の対応する部分の外周面とが略隙間無く一
致した状態となるのが好ましい。それによって、ユーザは、より明確かつ容易にキャリッ
ジカバー６１１の半開き状態を認識することが可能になる。また、前記の通り、検出部材
１１がキャリッジカバー６１１に接触することがあっても、検出部材１１が符号Ｃで示し
た揺動方向へ弾性変位するので、検出部材１１によってキャリッジ６１の往復動作が妨げ
られることはない。
【００３６】
さらに、検出部材１１は、プリンタカバー２を閉方向Ａ２へ押動することで半開きのキ
ャリッジカバー６１１を閉方向Ｂ２へ押動可能に支持されているのが好ましい。例えば、
図示の如く、検出部材１１の先端にキャリッジカバー６１１と面接触可能な平坦面を設け
れば、検出部材１１を介して、プリンタカバー２を閉方向Ａ２へ押動する力（符号Ｄ）を
半開きのキャリッジカバー６１１に安定的に作用させることができる。
【００３７】
それによって、例えば、単にキャリッジカバー６１１の閉じ方が不完全であるためにキ
ャリッジカバー６１１が半開きになっている場合には（図６）、ユーザは、半開きになっ
ているプリンタカバー２を閉方向Ａ２へ押動することで、半開きのキャリッジカバー６１
１を閉方向Ｂ２へ押動することができ、それによってキャリッジカバー６１１を完全に閉
じた状態にすることができる。すなわち、ユーザは、プリンタカバー２とキャリッジカバ
ー６１１との間に介在している検出部材１１を利用して、あらためてプリンタカバー２を
開いた状態にすることなく半開きのキャリッジカバー６１１を完全に閉じた状態にするこ
とができる。
【００３８】
図１０は、検出部材１１とキャリッジカバー６１１との係合状態を拡大図示した正面図
であり、キャリッジカバー６１１が半開きの状態を図示したものである。  
他方、例えば、インクカートリッジ等の誤装着等によってキャリッジカバー６１１が半
開きになっている場合には（図７）、インクカートリッジＩＣを正しく装着し直さない限
り、半開きのキャリッジカバー６１１を完全に閉じた状態にすることは不可能である。し
たがって、この状態においては、プリンタカバー２を閉方向Ａ２へ押動しても半開きのキ
ャリッジカバー６１１を完全に閉じた状態にすることはできない。
【００３９】
このとき、仮にユーザが過大な力で半開きのプリンタカバー２を閉じる方向へ押動して
しまったとしても、検出部材１１が幅方向Ｘのいずれかの方向へ逃げるように弾性変位す
る（符号ＣＬ）。それによって、その過大な力でプリンタカバー２又はキャリッジカバー
６１１或いは検出部材１１が破損等してしまうことを回避することができる。この場合、
どの程度の力が作用したときに検出部材１１が逃げるように弾性変位するかは、例えば、
検出部材１１の先端形状やねじりコイルばね１４のばね力、キャリッジカバー６１１に対
する検出部材１１の当接角度等を適宜調整することで適切に設定することができる。
【００４０】
以上説明したように、本発明よれば、キャリッジカバー６１１の半開き状態をユーザが
明確かつ容易に認識することが可能なインクジェットプリンタ５０を低コストに実現する
ことができる。尚、検出部材１１は、キャリッジカバー６１１側に設けても良く、そのよ
うな態様においても本発明の実施は可能であり、本発明による作用効果を得ることができ
るのは言うまでもない。
【００４１】
＜第２実施例＞
つづいて、本発明に係るインクジェットプリンタ５０の第２実施例について、図１１を
参照しながら説明する。
【００４２】
図１１は、第２実施例のインクジェットプリンタ５０の要部側断面図である。  
第２実施例のインクジェットプリンタ５０は、第１実施例に加えて、キャリッジカバー
６１１には、キャリッジ６１がインク交換ポジションにある状態で検出部材１１の先端が
当接する部分に凹部６１５が設けられている。尚、それ以外の構成については、第１実施
例と同様であるため、共通する部分の説明は省略する。
【００４３】
凹部６１５は、検出部材１１の先端形状に沿って形成されている。したがって、検出部
材１１の先端は、図示の如く、この凹部６１５に嵌り込んだ状態でキャリッジカバー６１
１に当接係合することになる。それによって、例えば、検出部材１１の先端がキャリッジ
カバー６１１の外周面に斜めに当接した状態においても、プリンタカバー２を押動する力
（符号Ｄ）をより安定的にキャリッジカバー６１１に伝達することが可能になる。したが
って、半開きになっているプリンタカバー２を閉方向Ａ２へ押動して半開きのキャリッジ
カバー６１１を完全に閉じた状態にする操作の確実性を向上させることができる。尚、当
該実施例においては、凹部６１５の形状や深さ等を適宜調整することで、どの程度の力が
作用したときに検出部材１１が逃げるように弾性変位するかを調整することもできる。
【図面の簡単な説明】
【００４４】
【図１】本発明に係るインクジェットプリンタの外観斜視図。
【図２】本発明に係るインクジェットプリンタの外観斜視図。
【図３】本発明に係るインクジェットプリンタの内部構造の要部側断面図。
【図４】プリンタカバーを閉じた状態を図示した要部側断面図。
【図５】プリンタカバーを開いた状態を図示した要部側断面図。
【図６】プリンタカバーが半開きの状態を図示した要部側断面図。
【図７】プリンタカバーが半開きの状態を図示した要部側断面図。
【図８】プリンタカバーの内側に配設された検出部材を拡大図示した正面図。
【図９】キャリッジカバー及びプリンタカバーを閉じた状態を図示した正面図。
【図１０】キャリッジカバーが半開きの状態を図示した正面図。
【図１１】第２実施例のインクジェットプリンタの要部側断面図。
【符号の説明】
【００４５】
１  プリンタ本体、２  プリンタカバー、７、８  開口部、１１  検出部材、１２  軸部
、１３  軸受部、１４  ねじりコイルばね、５０  インクジェットプリンタ、５１  搬送
駆動ローラ、５２  搬送従動ローラ、５３  プラテン、５４  排出駆動ローラ、５５  排
出従動ローラ、６１  キャリッジ、６２  記録ヘッド、６１１  キャリッジカバー、６１
５  凹部、ＩＣ  インクカートリッジ、Ｘ  幅方向、Ｙ  搬送方向
【図１】
2009248316.tif 000003
【図２】
2009248316.tif 000004
【図３】
2009248316.tif 000005
【図４】
2009248316.tif 000006
【図５】
2009248316.tif 000007
【図６】
2009248316.tif 000008
【図７】
2009248316.tif 000009
【図８】
2009248316.tif 000010
【図９】
2009248316.tif 000011
【図１０】
2009248316.tif 000012
【図１１】
2009248316.tif 000013